(57)【要約】      （修正有）【課題】噛合部分の強度に優れ、容易に破損することなく耐久性に優れ、また、幼児などが使用しても、誤飲する危険が大幅に少なくなり、安全性が極めて高い噛み合い式歯ブラシを提供する。【解決手段】長手方向に歯列に則して円弧状に湾曲した歯合部１３と、歯合部１３の湾曲した長辺端部に上下に起立して上下の溝部を形成する２つの側部１１，１２とを有する断面Ｈ字状の歯ブラシ１と、側部１１に結合したハンドル２，３からなり、歯ブラシ１のブラシ溝１４にはブラシ毛１６，１７が植設され、ハンドルは２，３、歯ブラシの側部１１に結合した柄２と、この柄２と連続して形成されている変形したリング状の環状体３とを有し、噛合部１３の肉厚が側部１１，１２の肉厚の１．２〜２倍であり、環状体３の最大外接円の直径が、歯ブラシ１の短い方の側部１２の長さより長い構成の噛み合い式歯ブラシとした。【選択図】図１
0003150433.tif 000002
【実用新案登録請求の範囲】
【請求項１】
長手方向に歯列に則して円弧状に湾曲した歯合部１３と、
この歯合部１３の湾曲した長辺端部に上下に起立して上下の溝部を形成する２つの側部１１，１２とを有する断面Ｈ字状の歯ブラシ１と、
この歯ブラシ１の前記側部に結合したハンドル２，３からなり、
前記歯ブラシ１に形成されたブラシ溝１４，１５にはそれぞれブラシ毛１６，１７が植設され、
前記ハンドルは２，３、歯ブラシの側部に結合した柄２と、この柄２から連続して形成されている変形したリング状の環状体３とを有し、
前記歯ブラシ１の噛合部１３の肉厚が前記側部１１，１２の肉厚の１．２〜２倍であり、前記環状体３の最大外接円の直径が、前記歯ブラシ１の短い方の側部１２の長さより長くなっている噛み合い式歯ブラシ。
【請求項２】
前記ブラシ毛は、歯合部ではブラシ溝の開口部に向かうよう鉛直方向に植設され、側部では開口部に向かって斜めに植設され、かつブラシ毛は先端と根本近くを除く全長の２／３以上の領域に渡って概ね同径でであり、ブラシ毛根本の最大径部の直径が先端からブラシ毛の長さの１／２の部位の直径の１２０〜２００％となるように根本がテーパー状に形成されている請求項１の噛み合い式歯ブラシ。
【請求項３】
側部に植設されているブラシ毛は、ブラシ溝の開口部に最も近い部分が最も長い請求項１または２の噛み合い式歯ブラシ。
【請求項４】
ブラシ毛の胴部の径が０．２０ｍｍ以上である請求項１〜３のいずれかの噛み合い式歯ブラシ。
【考案の詳細な説明】
【技術分野】
【０００１】
本考案は、ブラッシング動作を行うことなく、咀嚼ないし噛み合い動作、あるいは軽く噛み合わせた状態でハンドルを動かすだけで歯ミガキが可能で、幼児やお年寄り、身体障害者などに有用な噛み合い式歯ブラシに関するものである。
【背景技術】
【０００２】
一般に幼児の歯ミガキは、大人が歯ブラシを幼児の口中に挿入して歯ミガキ動作を行うことが必要である。しかし、この方法では、歯ミガキの度に大人が時間を掛けて磨いてやる必要があり面倒であり、自主性を養う上でも問題がある。一方、幼児自身が適切なブラッシングを行うことは困難であり、長い時間口を開けていること自体を嫌がる場合もある。
【０００３】
このような問題を解決する歯ブラシとして、実登３０３３１８２号公報（特許文献１）に記載されているような噛合式の歯ブラシが知られている。
【０００４】
しかし、この文献に記載されているような歯合式歯ブラシは、噛み合い動作によりブラッシングするために、本体が損傷しやすく、特に噛み合わせ部分で切断したり、ブラシ毛やブラシ本体自体が損傷したり切断して比較的早い時期に消耗してしまうという問題があった。また、幼児が使用した場合、柔らかい素材でできているため、食べ物の咀嚼動作と勘違いしたり、反射的に嚥下動作を行い、誤飲してしまう危険性も指摘されていた。
【先行技術文献】
【特許文献】
【０００５】
【特許文献１】実登３０３３１８２号公報
【考案の概要】
【考案が解決しようとする課題】
【０００６】
解決しようとする問題点は、従来の歯み合い式歯ブラシが比較的短い期間で消耗して劣化したり、破損する点である。また、幼児などが使用する場合、誤飲してしまう危険があることである。さらに、ブラシ毛も簡単に劣化してしまうため、短期間で清浄機能が低下してしまうことである。
【課題を解決するための手段】
【０００７】
上記課題を解決するため、本考案は以下の構成とした。
（１）  長手方向に歯列に則して円弧状に湾曲した歯合部１３と、
この歯合部１３の湾曲した長辺端部に上下に起立して上下の溝部を形成する２つの側部１１，１２とを有する断面Ｈ字状の歯ブラシ１と、
この歯ブラシ１の前記側部に結合したハンドル２，３からなり、
前記歯ブラシ１に形成されたブラシ溝１４，１５にはそれぞれブラシ毛１６，１７が植設され、
前記ハンドルは２，３、歯ブラシの側部に結合した柄２と、この柄２から連続して形成されている変形したリング状の環状体３とを有し、
前記歯ブラシ１の噛合部１３の肉厚が前記側部１１，１２の肉厚の１．２〜２倍であり、前記環状体３の最大外接円の直径が、前記歯ブラシ１の短い方の側部１２の長さより長くなっている噛み合い式歯ブラシ。
（２）  前記ブラシ毛は、歯合部ではブラシ溝の開口部に向かうよう鉛直方向に植設され、側部では開口部に向かって斜めに植設され、かつブラシ毛は先端と根本近くを除く全長の２／３以上の領域に渡って概ね同径でであり、ブラシ毛根本の最大径部の直径が先端からブラシ毛の長さの１／２の部位の直径の１２０〜２００％となるように根本がテーパー状に形成されている上記（１）の噛み合い式歯ブラシ。
（３）  側部に植設されているブラシ毛は、ブラシ溝の開口部に最も近い部分が最も長い上記（１）または（２）の噛み合い式歯ブラシ。
（４）  ブラシ毛の胴部の径が０．２０ｍｍ以上である上記（１）〜（３）のいずれかの噛み合い式歯ブラシ。
【考案の効果】
【０００８】
本考案の噛み合い式歯ブラシは、噛合部分の強度に優れ、容易に破損することなく耐久性に優れている。また、幼児などが使用しても、誤飲する危険が大幅に少なくなり、安全性が極めて高い。さらに、ブラシ毛の耐久性にも優れるため、清浄機能の低下も少ないという利点がある。
【図面の簡単な説明】
【０００９】
【図１】図１は本考案の噛み合い式歯ブラシの一実施例を示す平面図である。（実施例１）
【図２】図２は本考案の噛み合い式歯ブラシの一実施例である歯ブラシ部分の断面図である。（実施例１）
【図３】図３は本考案の噛み合い式歯ブラシの他の実施例を示す平面図である。（実施例２）
【考案を実施するための形態】
【００１０】
本考案の噛み合い式歯ブラシは、例えば図１に示すように、長手方向に歯列に則して円弧状に湾曲した歯合部１３と、この歯合部１３の湾曲した長辺端部に上下に起立して上下の溝部を形成する２つの側部１１，１２とを有する断面Ｈ字状の歯ブラシ１と、この歯ブラシ１の前記側部に結合したハンドル２，３からなり、前記歯ブラシ１の上下に形成されたブラシ溝１４，１５にはそれぞれブラシ毛１６，１７が植設され、前記ハンドルは２，３、歯ブラシの側部に結合した柄２と、この柄２から連続して形成されている変形したリング状の環状体３とを有し、前記歯ブラシ１のＨ字状断面の中央部であって２つの側部を連結する噛合部１３の肉厚が、前記側部１１，１２の肉厚の１．２〜２倍であり、前記環状体３の最大外接円の直径が、前記歯ブラシ１の短い方の側部１２の長さより長くなっている。
【００１１】
このように、ハンドル本体の大きさを歯ブラシの短い方の側部の長さより長く、大きくすることで、誤飲を防止することができる。また、歯合部の肉厚を厚くすることで、耐久性を飛躍的に向上させることができる。
【００１２】
歯ブラシは、歯の清浄ないし清掃作業行う部分であり、本考案では通常の歯ブラシとは異なり、咀嚼に近似した噛み合い動作により、また噛み合わせた状態でハンドルを動かすことで歯の清掃作業が行われるようになっている。このため、上下に開口した２つのコ字状ないしU字状の溝部を有し、この溝部内に植設されたブラシ毛により歯を清浄する。つまり、噛み合い動作により前記溝部内を歯が上下することで、これに植設されたブラシ毛が歯の汚れを除去する。このような溝部を形成するため、歯ブラシは、長手方向に歯列に則して円弧状に湾曲した歯合部と、この歯合部の長辺端部に上下に起立した２つの側部とを有する。つまり、歯ブラシの断面はＨ字状になる。
【００１３】
歯ブラシ１の歯合部１３は、長手方向に歯列に則して円弧状に湾曲している。具体的には円形の１／４、特に人の歯列曲線の１／２に即した形状が好ましい。このような形状にすることで、一度に歯列の略１／２の領域を覆うことができ、効果的に清浄作業を行うことができる。また、残余の１／２の歯列領域は、歯ブラシを反転させることで用意に対応することができる。さらに、実際の歯と同様に、歯合部１３の前歯に相当する部分の幅を狭く、奥歯に相当する部分の幅を広くするとよい。具体的には、前歯に相当する部分の幅に対し奥歯に相当する部分の幅を５〜３０％程度広くするとよい。実際には使用する年齢層などを考慮して最適な幅に設定するとよい。
【００１４】
噛合部１３は、歯ブラシのＨ字状断面の中央部を構成し、２つの側部１１，１２を連結する。その肉厚は、側部の肉厚の１．２〜２倍、より好ましくは１．４〜１．８倍である。肉厚が薄すぎると強度や耐久性が不足し、厚すぎると使用上違和感が増大して使い難くなってくる。通常、歯合部と側部は一体として形成される。これらの構成材料としては、ある程度柔軟性を有する材料が好ましい。具体的には、軟質ビニール、シリコーンゴム、あるいはスチレン系，オレフィン系，PVC系，ウレタン系，エステル系，アミド系などの熱可塑性エラストマー樹脂等の柔軟な樹脂材料が好ましい。また、場合によってはゴムなどの天然樹脂材料を用いてもよい。また、ある程度高い年齢層等には通常の歯ブラシヘッドに用いられているような熱可塑性樹脂などの樹脂材料を用いることもできる。具体的には、ポリオレフィン（ポリプロピレン、ポリエチレン等）、ポリエステル（ポリエチレンテレフタレート、ポリトリメチレンテレフタレート、ポリブチレンテレフタレートなど）、ポリカーボネート（ポリエステルとのブレンドを含む）、ポリアリレート（ポリエステルとのブレンドを含む）、ポリオキシメチレン樹脂、ＡＳ樹脂、ＡＢＳ樹脂、セルロースプロピオネート、ポリアミド（ナイロン）、ポリウレタン、ＰＭＭＡ樹脂などの材料を用いることができる。
【００１５】
一般の歯ブラシは、歯ブラシ本体に複数本のブリッスル（ブラシの毛）が植毛されている。ここで、一般に用いられている歯ブラシのブラシ毛は、一般にナイロン等から成り、径が２００μｍ程度、高さは１０ｍｍ程度である。このブリッスルが複数本ずつ束にされ、ヘッド部材に形成されたタフト孔に植毛される。
【００１６】
本考案に用いられるブラシ毛は通常の歯ブラシとは異なり、ブラッシング動作ではなく噛み合い動作により清掃するので、ブラシ毛の大きさも通常の歯ブラシとは異なる専用のものが望ましい。本考案のブラシ毛は、先端と根本近くを除く全長の２／３以上の領域に渡って概ね同径でであり、好ましくはブラシ毛根本の最大径部の直径が先端からブラシ毛の長さの１／２の部位の直径の１２０〜２００％、より好ましくは１４０〜１８０％となるように根本がテーパー状に形成されている。また、ブラシ毛のフィラメントの長さの１／２の部位である胴部の繊維太さは、好ましくは直径０．２０ｍｍ以上、より好ましくは０．２５ｍｍ以上であり、その上限としては特に規制されるものではないが、好ましくは２ｍｍ以下、より好ましくは１．６ｍｍ以下である。繊維が細すぎると耐久性や清浄機能の点で問題があり、太すぎると使用感が悪化し、清浄機能も低下する。
【００１７】
また、歯合部１３に植設されたブラシ毛１６は開口部に向かって直立し、側部１１，１２に植設されたブラシ毛１７は開口部に向かって斜めに起立している。また、好ましくは歯合部に植設されたブラシ毛１６は中央部が高く、長辺側である両側部付近を低くするとよい。具体的には中央部に対して側部を２０％以下５％以上低くするとよい。また、側部に植設されたブラシ毛１７は、側部に対し、好ましくは４５°以下、１０°以上の角度で開口部に向かって傾斜しているとよい。さらに、開口部に近いブラシ毛がもっとも長く、歯合部に近い部分が最も短くなるようにするとよい。具体的には開口部に近い部分に対し、歯合部に近い部分を２０％以下５％以上低くなるようにするとよい。
【００１８】
ブラシ毛には、公知の溶融紡糸方法によって製造された合成樹脂製モノフィラメントが使用できる。具体的には、ナイロン（６−１２，６−１０，６−６）、ポリプロピレン、ポリエステル、ポリオレフィンなどの合成樹脂の一種または２種以上を用いることができる。また、先端を丸めたりテーパー状にするときには公知のアルカリ溶解法によって形成することができ、このような場合にはポリエステル系樹脂、具体的にはポリブチレンテレフタレート（ＰＢＴ）、ポリエチレンテレフタレート（ＰＥＴ）、ポリプロピレンテレフタレート、あるいはこれらを主体とする共重合体やブレンドが適している。また、歯ブラシと同一材料で一体的に、あるいは別体として形成してもよい。
【００１９】
ハンドル２，３は、歯ブラシの側部に結合した柄２と、この柄２から連続して形成されて一体となっている変形したリング状の環状部３とを有する。柄２は歯ブラシの側部１１に結合して環状部とブラシを接続している。柄２は、図示例では２つのブリッジ２１，２２とこれらが会合する結合部２３により構成されるが、このような形状に限定されることなく、歯合部平面方向に対する撓みや捻じれに対してある程度の強度を有し、歯ミガキ動作が問題なく行える強度を有する構造であればよい。また、２つのブリッジ２１，２２で構成した場合、好ましくは側部１１長手方向の離れた位置に結合し、歯合部平面方向に対する撓みや捻じれに対してある程度の強度を保てるようにするとよい。このため、側部１１の長さの好ましくは１／３以上、より好ましくは１／２以上離れた位置にそれぞれ結合するとよい。
【００２０】
また、ハンドル２，３が歯ブラシに対して結合する位置と方向は、好ましくは歯合部の側部１１中央から長手方向にある程度ずれた位置で、ブリッジ２１，２２の中心軸が側部円弧の奥側端部１１ａの接線と略平行になるように取り付ける。つまり、まっすぐ口に挿入したときに、左右歯列のいずれか一方の曲線と略一致するような方向に取り付けるとよい。
【００２１】
環状体３は、好ましくは中央に持ち手が入る空間４を確保できる大きさを有する環状体であり、円形に近い形状としてもよいし、図示例のようなＤ形、あるいは楕円、円形を撓ませたり、一部を凸凹にしたり、波打たせたような形状とすることもできる。また、環状部３の最大径あるいは外接円の直径が、前記歯ブラシの短い方の側部の長さより長くなっていることが必要である。あるいは、前記側部円弧の奥側端部１１ａの接線方向からの投影面の長さより長くてもよい。要するに、歯ブラシを口に挿入する際の見かけの大きさ（長さ）より大きく（長く）すればよい。このように、環状部３の大きさを歯ブラシの見かけの大きさより大きくすることで、誤飲の危険を大幅に減少させることができる。
【００２２】
環状体も柄と同様な材質で構成してもよいし、この部分だけさらに強度や剛性の高い材料で構成することもできる。あるいは、質感やデザインを考慮した材料で構成してもよい。
【００２３】
このような噛み合い式歯ブラシを使用する場合、ブラシ１を口腔内に配置し、上下の歯でブラシ溝１４，１５を噛む、噛み合い動作を行うか、あるいは軽く噛んだ状態でハンドル２，３を動かしブラシ１を左右に摺動させることで、簡単に歯の清掃作業が行われる。また、歯ブラシ１を熱可塑性プラスチックで製造する場合、個人の歯列形状に応じて、形状を加工することも可能である。
【実施例１】
【００２４】
図１は、本考案の噛み合い式歯ブラシの一実施例を示す平面図、図２は歯ブラシの断面図である。図において、噛み合い式歯ブラシ１０は、断面Ｈ字状の歯ブラシ１と、この歯ブラシ１の側部１１に結合したハンドル２，３からなっている。歯ブラシ１は、長手方向に歯列に則して円弧状に湾曲した歯合部１３と、この歯合部１３の湾曲した長辺の端部に上下に起立して上下の溝部を形成する２つの側部１１，１２とを有する。また、前記ハンドル２，３は、歯ブラシ１の湾曲した一方の側部、この例では外周側円弧を形成する側部１１に結合した柄２と、この柄２に結合し連続して形成されている変形したリング状である撓んだＤ形の環状部３とを有する。
【００２５】
歯ブラシ１の歯合部１３は、長手方向に歯列に則して円弧状に湾曲した形状になっていて、丁度歯列の曲線の１／２に即した形状である。また、歯合部１３の図面右手の前歯に相当する部分の幅を狭く、奥歯に相当する部分の幅を広くしている。また、歯合部の肉厚は側部の肉厚より１．５倍程度厚くなっている。
【００２６】
図２に示すように、歯ブラシ１には上下にコ字状ないしＵ字状のブラシ溝１４，１５が形成されて、断面Ｈ字状になっている。つまり、上部側壁１１ａ，１２ａと歯合部１３の上面により、上部ブラシ溝１４が形成され、下部側壁１１ｂ，１２ｂおよび歯合部１３の下面により、下部ブラシ溝１５が形成される。ブラシ溝１４，１５の歯合部１３と側部１１，１２とには、それぞれブラシ毛１６，１７が植設されている。歯合部１３に植設されたブラシ毛１６は開口部に向かって直立し、側部１１，１２に植設されたブラシ毛１７は開口部に向かって略４５°の角度で斜めに起立している。この例では、歯合部１３に植設されたブラシ毛１６は中央部が高く、長辺側である両側部付近が１０〜２０％程度低くなっている。また、側部に植設されたブラシ毛１７は、開口部に近いブラシ毛がもっとも長く、歯合部に近い部分が最も短くなっている。
【００２７】
ハンドル２，３は、歯ブラシ１の側部に結合した柄２と、この柄２から連続して形成されて一体となっている変形したリング状である撓んだＤ形の環状部３とを有する。柄２は歯ブラシの側部１１に結合する２つのブリッジ２１，２２とこれらのブリッジ２１，２２が会合する連結部とからなる。ブリッジ２１，２２は側部１１長手方向の離れた位置に結合し、歯合部平面方向に対する撓みや捻じれに対してある程度の強度を保てるようになっている。このため、側部１１の長さの１／２程度離れた位置にそれぞれ結合している。
【００２８】
また、ハンドルが歯ブラシに対して結合する位置と方向は、歯合部の側部１１中央から長手方向に中央から全長の１／３程度ずれた位置で、ブリッジ２１，２２の中心軸が側部円弧の奥側端部の接線と略平行になるように取り付けられている。つまり、まっすぐ口に挿入したときに、左右歯列のいずれか一方の曲線と略一致するような方向に取り付けられている。
【実施例２】
【００２９】
図３は、本考案の噛み合い式歯ブラシの他の実施例を示す平面図である。図において、噛み合い式歯ブラシ１０は、断面Ｈ字状の歯ブラシ１と、この歯ブラシ１の側部１１に結合したハンドル２，３からなっている。この例のハンドル２，３は、この柄２に結合し連続して形成されている変形したリング状の環状体３とを有し、環状体３の形状が６角形を変形したような形状になっている。その他の構成は実施例１と同様であり、同一構成要素には同一符号を付して説明を省略する。
【００３０】
上記のような構成のブラシにより、噛合部分の強度に優れ、容易に破損することなく耐久性に優れた効果が得られる。また、上記のような環状体をハンドルに用いたので、幼児などが使用しても、誤飲する危険が大幅に少なくなり、安全性が極めて高いという効果が得られる。さらに、上記のようにブラシ毛の耐久性にも優れるため、清浄機能の低下も少ないという利点がある。
【産業上の利用可能性】
【００３１】
本考案の噛み合い式歯ブラシは、乳児、幼児、さらには学童にまで使用することができる。特に、乳幼児では、大人の介助を必要とすることなく自分でおしゃぶり感覚で歯ミガキを行うことができるため、手間が掛からず、乳幼児の自主性も養うことができる。さらに、身障者や、老人など介護、介助が必要な大人にも好適に使用することができる。
【符号の説明】
【００３２】
１    歯ブラシ
２    柄
３    環状体
４    空間
１１    側部
１２    側部
１３    歯合部
１４，１５  ブラシ溝
１６，１７  ブラシ毛
２１，２２  ブリッジ
２３    結合部
【図１】
0003150433.tif 000003
【図２】
0003150433.tif 000004
【図３】
0003150433.tif 000005
【手続補正書】
【提出日】平成21年3月9日(2009.3.9)
【手続補正１】
【補正対象書類名】実用新案登録請求の範囲
【補正対象項目名】請求項１
【補正方法】変更
【補正の内容】
【請求項１】
長手方向に歯列に則して円弧状に湾曲した歯合部１３と、
この歯合部１３の湾曲した長辺端部に上下に起立して上下の溝部を形成する２つの側部１１，１２とを有する断面Ｈ字状の歯ブラシ１と、
この歯ブラシ１の前記側部に結合したハンドル２，３からなり、
前記歯ブラシ１に形成されたブラシ溝１４，１５にはそれぞれブラシ毛１６，１７が植設され、
前記ハンドルは、歯ブラシの側部に結合した柄２と、この柄２から連続して形成されている変形したリング状の環状体３とを有し、
前記歯ブラシ１の噛合部１３の肉厚が前記側部１１，１２の肉厚の１．２〜２倍であり、前記環状体３の最大外接円の直径が、前記歯ブラシ１の短い方の側部１２の長さより長くなっている噛み合い式歯ブラシ。
【手続補正２】
【補正対象書類名】実用新案登録請求の範囲
【補正対象項目名】請求項２
【補正方法】変更
【補正の内容】
【請求項２】
前記ブラシ毛は、歯合部ではブラシ溝の開口部に向かうよう鉛直方向に植設され、側部では開口部に向かって斜めに植設され、かつブラシ毛は先端と根本近くを除く全長の２／３以上の領域に渡って概ね同径であり、ブラシ毛根本の最大径部の直径が先端からブラシ毛の長さの１／２の部位の直径の１２０〜２００％となるように根本がテーパー状に形成されている請求項１の噛み合い式歯ブラシ。